(57)【特許請求の範囲】
【請求項１】
シートを挟んだ状態で複数の駆動ロールにそれぞれピンチロールを弾接させ、駆動ロールを回転させることによりシートを移動させる装置におけるピンチロールの昇降機構であって、上記ピンチロールを、支軸を中心に回動するピンチロールレバーの先端に設けるとともに、ピンチロールレバーの後部に、回転することにより弾性に抗してピンチロールレバーの後部を後方に押圧しピンチロールを上昇させたり、上記押圧を解除してピンチロールを下降させるシャフトを設け、
前記シャフトは、前記ピンチロールレバーに直接当接し、かつ、前記シャフトの断面形状が四角形になっている、ピンチロールの昇降機構。
【発明の詳細な説明】
【０００１】
【発明の属する技術分野】
この発明は、インクジェット方式を用いたプリンター等、駆動ロールとピンチロールでシート状のものを移動させる装置において使用されるピンチロールの昇降機構に関するものである。
【０００２】
【従来の技術】
大型のプリンターにおいては、複数の駆動ロールとピンチロールの組み合わせがプラテン上に直線状に配設され、その駆動ロールとピンチロールでシートを挟持して駆動ロールを回転させることにより、シートを移動させるものがある。そして、このようなプリンターは、一般的に、ピンチロールが常時駆動ロールに弾接され、印刷されたシートは順次一方に送られるようになっている。
【０００３】
【発明が解決しようとする課題】
しかしながら、上記のようなプリンター等においては、シートをセットする際に、シートを進行方向に対して真っ直ぐにしなければ、シートにしわが入ったりジャミングが発生したりする。このためシートをセットする際、斜めになると、一旦、ピンチロールからシートを外して再度セットし直さなければならない。その結果、シートをセットする作業が煩雑になるという問題が生じている。
【０００４】
また、プリンターの中には、ピンチロールの昇降機構を備えたものもあるが、このような昇降機構では、カムとレバーを組合わせてピンチロールを昇降させるようになっており、構造が複雑であるという問題がある。
【０００５】
この発明は、このような事情に鑑みなされたもので、ピンチロールを昇降可能にすることにより、シートを取り外すことなく簡単に取付位置の修正が行え、かつその構造が簡単であるピンチロールの昇降機構の提供を目的とする。
【０００６】
【課題を解決するための手段】
上記の目的を達成するため、この発明にかかるピンチロールの昇降機構は、ピンチロールを支軸を中心に回動するピンチロールレバーの先端に設けている。そして、ピンチロールレバーの後部に、回転することによりピンチロールを昇降させるシャフトを設けて構成されている。
【０００７】
すなわち、このピンチロールの昇降機構は、必要な時に適宜、シャフトを回転させることによりピンチロールを駆動ロールから上昇させて、駆動ロールとピンチロールによるシートの挟持を解放できるようになっている。したがって、その状態で、シートの方向を修正したのち、再度シャフトを回転して、ピンチロールを降下させることによりシートを適正な状態で挟持することができる。
【０００８】
また、シャフトは、ピンチロールレバーに直接当接し、かつ、断面形状を四角形にすることができる。この場合、シャフトの角部がピンチロールレバーの後部に当接して押圧すると、ピンチロールが上昇し、シャフトの平面部がピンチロールレバーの後部に当接すると、ピンチロールが下降するようになる。
【００１０】
【発明の実施の形態】
図１ないし図４は、この発明の一実施形態によるピンチロールの昇降機構を備えた大型のプリンター１の要部を示している。このプリンター１では、シート（図示せず）がセットされるプラテン２に所定間隔を保って、複数の駆動ロール３が一列に配設されている。
【００１１】
そして、その駆動ロール３の上方に、ピンチロール４がばねによって駆動ロール３に弾接した状態で配設されている。このピンチロール４は、略Ｌ字状のピンチロールレバー５の先端に回動自在に取り付けられている。また、上記ピンチロールレバー５はＬ字状の角部近傍の略中央部が支軸６によって回動自在に支受され、これらすべてのピンチロールレバー５の後部５ａに当接するようにしてシャフト７が配設されている。
【００１２】
シャフト７は、両端部の円形部７ａを除く部分の断面形状が図３および図４に示すように四角形になっている。そして、両端の円形部７ａが軸受８を介して支持部９に支持されている。また、シャフト７の一端にはレバー１０が連結されており、このレバー１０を上下に回動させることにより、シャフト７を回動させることができるようになっている。
【００１３】
さらに、支持部９は、シャフト７における両端部以外の部分にも、一定間隔を保って配設されており、この支持部９によってシャフト７は垂れることなく水平な状態に維持されている。上記シャフト７やピンチロールレバー５等は、ハウジング１１内に収容されており、ハウジング１１に設けられた複数の穴部１２からピンチロール４が駆動ロール３に向かって突出している。
【００１４】
この構成において、プリンター１を用いて印刷を行う際には、まず、印刷用のシートの先端部をプラテン２上に送り込み駆動ロール３とピンチロール４とで挟持させる。そして、その状態で駆動ロール３を回転駆動させることにより、シートを移動させながらその表面にインクジェット等の印刷手段を用いて印刷を行う。
【００１５】
この際、シートがプラテン２上で斜めになり斜行する場合には、駆動ロール３の回転駆動を一旦停止させ、レバー１０を回してシャフト７を回動させる。その結果、シャフト７は、図３の状態から図４の状態になって、角部でピンチロールレバー５の後部５ａを後方に付勢するようになる。これによって、ピンチロール４は上昇し、シートの挟持が解除される。
【００１６】
その状態で、シートをプラテン２上でスライドさせて真っ直ぐな適正位置に修正したのち、レバー５を元の状態に戻して、シャフト７を図３の状態にする。その結果、ピンチロールレバー５の後部５ａはシャフト７の平面部に当接するようにばねによって付勢される。これによって、ピンチロール４は下降して駆動ロール３とでシートを挟持するようになる。
【００１７】
その状態で、駆動ロール３を駆動させ印刷を行う。また、上記のような場合だけでなく、必要に応じて適宜ピンチロール４の昇降を行うことができる。
また、上記シャフトの断面形状は四角形だけでなく、楕円形にしてもよい。この場合、楕円形の長軸側の端部をピンチロールレバー５の後部５ａに当接させるとピンチロール４が上昇し、楕円形の短軸側の端部をピンチロールレバー５の後部５ａに当接させるとピンチロール４が下降するようになる。
【００１８】
さらに、上記シャフトの断面形状は他の形状にすることもでき、要は、中心軸から近い部分に位置する端部と遠い部分に位置する端部を有し、回転することによって、ピンチロール４を昇降させることのできるものであれば何でもよい。
【００１９】
【発明の効果】
以上のように、この発明にかかるピンチロールの昇降機構は、ピンチロールを、支軸を中心に回動するピンチロールレバーの先端に設け、ピンチロールレバーの後端側に、回転することによりピンチロールレバーの後部を押圧しピンチロールを昇降させるシャフトを設けている。
【００２０】
したがって、シートが斜めにセットされた場合等、ピンチロールを上昇させる必要があるときには、適宜シャフトを回転させるという簡単な操作で、すべてのピンチロールを上昇させることができる。このため、シートの取り付け作業が容易になる。また、このシャフトが直接ピンチロールレバーの後部に当接するため部品点数が少なくなり構造も簡単になる。
【図面の簡単な説明】
【図１】この発明の一実施形態によるピンチロールの昇降機構を備えたプリンターの要部を示す正面図である。
【図２】シャフトの端部側を示す断面図である。
【図３】ピンチロールが下降した状態を示す断面図である。
【図４】ピンチロールが上昇した状態を示す断面図である。
【符号の説明】
１    …プリンター
３  …駆動ロール
４  …ピンチロール
５  …ピンチロールレバー
５ａ…後部
６  …支軸
７  …シャフト
【図１】
0003619650.tif 000002
【図２】
0003619650.tif 000003
【図３】
0003619650.tif 000004
【図４】
0003619650.tif 000005